(57)【要約】  【課題】透液性表面シートの剥がれおよび吸収体の型崩れを防止でき、肌に密着して漏れを防止できる使い捨て吸収性物品を提供する。  【解決手段】透液性表面シート２で吸収体４を表面側から裏面側へと囲繞し、透液性表面シート２の両側縁部を括れ部4aよりも吸収体４の幅方向の中心側の位置にて不透液性裏面シート３に固着することで、透液性表面シート２の剥がれを防止できる。透液性表面シート２の非配設部2aを不透液性裏面シート３に固着せず、第１弾性体８を非配設部2aに長手方向に沿って配設することで、第１弾性体８の収縮により透液性表面シート２の非配設部2aが起立して装着者の肌に密着してフィット性を向上でき、透液性表面シート２で囲繞した吸収体４の外側を不透液性裏面シート３および疎水性シート５で囲むことで、吸収体４の型崩れを防止でき、漏れを防止できる。  【選択図】図１
2006055502.tif 000002
【特許請求の範囲】
【請求項１】
透液性表面シート、不透液性裏面シート、および、前記透液性表面シートに囲繞されて前記不透液性裏面シートに配設された吸収体を備え、前記透液性表面シートと前記不透液性裏面シートとで長手方向両端部にフラップ部が形成された吸収性物品本体を具備し、
前記吸収体は、長手方向の中間部に、幅狭状となるように括れた括れ部が形成され、
前記透液性表面シートは、前記吸収体を表面側から裏面側へと囲繞し、この吸収体の裏面側に位置した両側縁部が前記括れ部よりも前記吸収体の幅方向の中心側の位置にて前記不透液性裏面シートに固着され、かつ、前記括れ部に臨み前記吸収体が配設されていない部分が、前記不透液性裏面シートに固着されていないとともに、前記括れ部に臨み前記吸収体が配設されていない部分の両側縁部に長手方向に沿って第１弾性体が配設され、
前記吸収性物品本体には、長手方向に沿って幅方向両側に疎水性シートがそれぞれ配設され、
前記疎水性シートは、長手方向両端が前記吸収性物品本体に固着されるとともに、前記吸収性物品本体の両側縁部近傍に位置する一側部が前記不透液性裏面シートに固着され、かつ、他側部に第２弾性体が長手方向に沿って配設され、
前記第１弾性体は、前記第２弾性体よりも伸張応力が大きい
ことを特徴とした使い捨て吸収性物品。
【請求項２】
透液性表面シートは、吸収体が配設されている部分に位置する裏面側が不透液性裏面シートに固着され、かつ、括れ部に臨み前記吸収体が配設されていない部分にて、表面側と裏面側とが固着されている
ことを特徴とした請求項１記載の使い捨て吸収性物品。
【請求項３】
吸収体は、この吸収体が配設されている部分に位置する透液性表面シートの裏面側とともに不透液性裏面シートに固着されている
ことを特徴とした請求項２記載の使い捨て吸収性物品。
【請求項４】
吸収性物品本体は、不透液性裏面シートに固着された最外層シートを備え、
この最外層シートは、
長手方向に背側腰回り部、股下回り部および腹側腰回り部が順次形成され、
前記背側腰回り部両側と前記腹側腰回り部両側とを互いに結合して前記吸収性物品本体を腰回り開口部と一対の脚回り開口部とをそれぞれ伸縮自在に形成する立体的なパンツ形状とした
ことを特徴とした請求項１ないし３いずれか一記載の使い捨て吸収性物品。
【発明の詳細な説明】
【技術分野】
【０００１】
本発明は、例えば大人用、あるいは失禁用などの使い捨て吸収性物品に関する。
【背景技術】
【０００２】
従来、この種の使い捨て吸収性物品は、不透液性裏面シートの両側部に、長手方向に沿って第１吸収体が幅方向中央部に間隙を有するように分割されてそれぞれ配置され、これら第１吸収体が、透液性表面シートと不透液性裏面シートとの間に挟着されている。また、第１吸収体の上面側、かつ、各第１吸収体の間隙部には、透液性上面シートと透液性下面シートとの間に挟着された第２吸収体が位置し、この第２吸収体の長手方向中央部には、幅狭状となるように括れ部が形成されている。そして、第１吸収体は、この括れ部に対応する位置に配設されている（例えば、特許文献１参照。）。
【特許文献１】特開平１１−８９８８０号公報（第４−５頁、図１−２）
【発明の開示】
【発明が解決しようとする課題】
【０００３】
上述の使い捨て吸収性物品では、第２吸収体が装着者の肌に密着し、かつ、第２吸収体から流出した排泄液などは第１吸収体に吸収されるので、漏れに対して有効である。
【０００４】
しかしながら、第２吸収体は、透液性上面シートと透液性下面シートとで挟着されているので、これら透液性上面シートと透液性下面シートとの挟着部である両側部が剥がれてしまうおそれがある。特に、第２吸収体近傍に弾性体を配設する場合には、これら透液性上面シートと透液性下面シートとの両側部がより剥がれ易くなってしまうことがある。
【０００５】
また、第２吸収体が透液性上面シートを介して肌には密着するものの、浮いているような状態となってしまうため、吸収体の形状が崩れ易い場合があり、漏れが発生してしまうおそれがある。
【０００６】
本発明は、このような点に鑑みなされたもので、透液性表面シートの剥がれおよび吸収体の型崩れを防止でき、肌に密着して漏れを防止できる使い捨て吸収性物品を提供することを目的とする。
【課題を解決するための手段】
【０００７】
請求項１記載の使い捨て吸収性物品は、透液性表面シート、不透液性裏面シート、および、前記透液性表面シートに囲繞されて前記不透液性裏面シートに配設された吸収体を備え、前記透液性表面シートと前記不透液性裏面シートとで長手方向両端部にフラップ部が形成された吸収性物品本体を具備し、前記吸収体は、長手方向の中間部に、幅狭状となるように括れた括れ部が形成され、前記透液性表面シートは、前記吸収体を表面側から裏面側へと囲繞し、この吸収体の裏面側に位置した両側縁部が前記括れ部よりも前記吸収体の幅方向の中心側の位置にて前記不透液性裏面シートに固着され、かつ、前記括れ部に臨み前記吸収体が配設されていない部分が、前記不透液性裏面シートに固着されていないとともに、前記括れ部に臨み前記吸収体が配設されていない部分の両側縁部に長手方向に沿って第１弾性体が配設され、前記吸収性物品本体には、長手方向に沿って幅方向両側に疎水性シートがそれぞれ配設され、前記疎水性シートは、長手方向両端が前記吸収性物品本体に固着されるとともに、前記吸収性物品本体の両側縁部近傍に位置する一側部が前記不透液性裏面シートに固着され、かつ、他側部に第２弾性体が長手方向に沿って配設され、前記第１弾性体は、前記第２弾性体よりも伸張応力が大きいものである。
【０００８】
そして、透液性表面シートで吸収体を表面側から裏面側へと囲繞し、この透液性表面シートの両側縁部を括れ部よりも吸収体の幅方向の中心側の位置にて不透液性裏面シートに固着することで、透液性表面シートが剥がれることを防止するとともに、この透液性表面シートの括れ部に臨み吸収体が配設されていない部分を不透液性裏面シートに固着せず、かつ、括れ部に臨み吸収体が配設されていない部分に長手方向に沿って、疎水性シートの他側部に配設した第２弾性体よりも伸張応力が大きい第１弾性体を配設することで、この第１弾性体の収縮によって、透液性表面シートの括れ部に臨み吸収体が配設されていない部分が起立して装着者の肌に密着してフィット性が向上し、かつ、透液性表面シートで囲繞された吸収体の外側を不透液性裏面シートおよび疎水性シートで囲むことで、吸収体の型崩れを防止して、漏れを防止する。
【０００９】
請求項２記載の使い捨て吸収性物品は、請求項１記載の使い捨て吸収性物品において、透液性表面シートは、吸収体が配設されている部分に位置する裏面側が不透液性裏面シートに固着され、かつ、括れ部に臨み前記吸収体が配設されていない部分にて、表面側と裏面側とが固着されているものである。
【００１０】
そして、透液性表面シートの吸収体が配設されている部分に位置する裏面側を不透液性裏面シートに固着し、かつ、括れ部に臨み吸収体が配設されていない部分にて、表面側と裏面側とを固着することで、吸収体の型崩れを確実に防止するとともに、透液性表面シートの吸収体の括れ部に臨み吸収体が配設されていない部分が上方に起立し易くなる。
【００１１】
請求項３記載の使い捨て吸収性物品は、請求項２記載の使い捨て吸収性物品において、吸収体は、この吸収体が配設されている部分に位置する透液性表面シートの裏面側とともに不透液性裏面シートに固着されているものである。
【００１２】
そして、透液性表面シートの吸収体が配設されている部分に位置する裏面側を吸収体とともに不透液性裏面シートに固着し、かつ、括れ部に臨み吸収体が配設されていない部分にて、表面側と裏面側とを固着することで、吸収体の型崩れをより確実に防止するとともに、透液性表面シートの吸収体の括れ部に臨み吸収体が配設されていない部分が上方に起立し易くなる。
【００１３】
請求項４記載の使い捨て吸収性物品は、請求項１ないし３いずれか一記載の使い捨て吸収性物品において、吸収性物品本体は、不透液性裏面シートに固着された最外層シートを備え、この最外層シートは、長手方向に背側腰回り部、股下回り部および腹側腰回り部が順次形成され、前記背側腰回り部両側と前記腹側腰回り部両側とを互いに結合して前記吸収性物品本体を腰回り開口部と一対の脚回り開口部とをそれぞれ伸縮自在に形成する立体的なパンツ形状としたものである。
【００１４】
そして、吸収性物品体の不透液性裏面シートに最外層シートを固着し、この最外層シートの長手方向に背側腰回り部、股下回り部および腹側腰回り部を順次形成し、背側腰回り部両側と腹側腰回り部両側とを互いに結合して吸収性物品本体を腰回り開口部と一対の脚回り開口部とをそれぞれ伸縮自在に形成する立体的なパンツ形状とすることで、例えば下着、あるいはおむつなどを必要とすることなく、一体的なパンツ型として使用でき、使い勝手が向上する。
【発明の効果】
【００１５】
請求項１記載の発明によれば、透液性表面シートで吸収体を表面側から裏面側へと囲繞し、この透液性表面シートの両側縁部を括れ部よりも吸収体の幅方向の中心側の位置にて不透液性裏面シートに固着することで、透液性表面シートが剥がれることを防止できるとともに、この透液性表面シートの括れ部に臨み吸収体が配設されていない部分を不透液性裏面シートに固着せず、かつ、括れ部に臨み吸収体が配設されていない部分に長手方向に沿って、疎水性シートの他側部に配設した第２弾性体よりも伸張応力が大きい第１弾性体を配設することで、この第１弾性体の収縮によって、透液性表面シートの括れ部に臨み吸収体が配設されていない部分が起立して装着者の肌に密着してフィット性を向上でき、かつ、透液性表面シートで囲繞された吸収体の外側を不透液性裏面シートおよび疎水性シートで囲むことで、吸収体の型崩れを防止でき、漏れを防止できる。
【００１６】
請求項２記載の発明によれば、透液性表面シートの吸収体が配設されている部分に位置する裏面側を不透液性裏面シートに固着し、かつ、括れ部に臨み吸収体が配設されていない部分にて、表面側と裏面側とを固着することで、吸収体の型崩れを確実に防止できるとともに、透液性表面シートの吸収体の括れ部に臨み吸収体が配設されていない部分を上方に起立し易くできる。
【００１７】
請求項３記載の発明によれば、透液性表面シートの吸収体が配設されている部分に位置する裏面側を吸収体とともに不透液性裏面シートに固着し、かつ、括れ部に臨み吸収体が配設されていない部分にて、表面側と裏面側とを固着することで、吸収体の型崩れをより確実に防止できるとともに、透液性表面シートの吸収体の括れ部に臨み吸収体が配設されていない部分を上方に起立し易くできる。
【００１８】
請求項４記載の発明によれば、吸収性物品体の不透液性裏面シートに最外層シートを固着し、この最外層シートの長手方向に背側腰回り部、股下回り部および腹側腰回り部を順次形成し、背側腰回り部両側と腹側腰回り部両側とを互いに結合して吸収性物品本体を腰回り開口部と一対の脚回り開口部とをそれぞれ伸縮自在に形成する立体的なパンツ形状とすることで、例えば下着、あるいはおむつなどを必要とすることなく、一体的なパンツ型として使用でき、使い勝手を向上できる。
【発明を実施するための最良の形態】
【００１９】
以下、本発明の第１の実施の形態の使い捨て吸収性物品の構成を図１ないし図４を参照して説明する。
【００２０】
図１ないし図４において、１は吸収性物品本体で、この吸収性物品本体１は、液透過性を有する透液性表面シート２、液不透過性を有する不透液性裏面シート３、液吸収性を有し透液性表面シート２に囲繞されて不透液性裏面シート３に配設される吸収体４、長手方向に沿って幅方向両側にそれぞれ配設された疎水性シート５、および、不透液性裏面シート３に固着された最外層シート６を備えている。そして、この吸収性物品本体１は、展開状態で略細長状で長手方向の中央部を中心として略対称の形状に形成するとともに、幅方向の中央部を中心として左右対称の形状に形成されている。
【００２１】
透液性表面シート２は、尿などの排泄液を吸収体４へ透過させるために液透過性を有し、例えば、綿布、不織布、多孔性フィルム、合成繊維などにて形成されている。
【００２２】
また、不透液性裏面シート３は、下着などの他の衣類、或いはシートなどを汚損することがないように液不透過性を有し、例えばポリエチレン樹脂などの合成樹脂シートなどにて成形され、長手方向の両端部が透液性表面シート２に固着され吸収体４の外側にフラップ部７が形成されている。
【００２３】
また、吸収体４は、尿などの排泄液を吸収できる、例えばパルプを主材料として一部に高分子吸収体等の物質を含んだ材料にて、長手方向の中間部に幅狭状となるように括れた括れ部4aが凹状に切り欠き形成されて長手方向の両端部にそれぞれ幅広部4b，4cが形成される砂時計形状となっており、透液性表面シート２により表面側すなわち装着者の肌側から裏側すなわち透液性表面シート２に対向する側へと囲繞されている。
【００２４】
ここで、吸収体４は、幅広部4b，4cの幅寸法が、互いに異なっていてもよいが、透液性表面シート２で囲繞される都合上、幅広部4b，4cの幅寸法は同じとすることが好ましい。
【００２５】
さらに、吸収体４を囲繞した透液性表面シート２は、括れ部4aよりも吸収体４の幅方向の中心側の位置に両側縁部が巻き込まれて不透液性裏面シート３に固着され、また、括れ部4aに臨み吸収体４が配設されていない括れ部分としての非配設部2aが、それぞれ不透液性裏面シート３に固着されていないとともに、この非配設部2aには、長手方向に沿って例えば紐状ゴムなどの第１弾性体８がそれぞれ配設されている。
【００２６】
なお、この吸収体４を囲繞した透液性表面シート２は、図３および図４に示すように、吸収体４の裏面側で、この吸収体４を完全に囲繞しておらず、不透液性裏面シート３との間で吸収体４を囲繞している。すなわち、吸収体４の裏側へと巻き込まれた透液性表面シート２の両側縁部は、幅方向に互いに離間された状態でそれぞれ不透液性裏面シート３に固着されている。
【００２７】
また、第１弾性体８は、図１に示すように、非配設部2aの両側縁部近傍に設けられている。このため、非配設部2aには、第１弾性体８の収縮により上方すなわち装着者の肌側に向かって起立するギャザ部が形成される。
【００２８】
さらに、疎水性シート５は、尿などの排泄液を浸透しない性質を有する、例えばポリプロピレン樹脂などの不透液性材料にて形成され、吸収性物品本体１の不透液性裏面シート３の表面の左右に、両フラップ部７間に亘ってそれぞれ配設されている。
【００２９】
そして、吸収性物品本体１の幅方向両側縁部近傍に位置した各疎水性シート５の一側部である外側縁部は、それぞれ不透液性裏面シート３に固着されている。また、これら左右の疎水性シート５の他側部である内側縁部は、それぞれ吸収体４の括れ部4aの両側部よりも幅方向の中心側寄りに位置し、透液性表面シート２に囲繞された吸収体４の幅方向の中心域が露出されている。この結果、疎水性シート５は、透液性表面シート２に囲繞された吸収体４を不透液性裏面シート３とで囲んでいる。
【００３０】
また、各疎水性シート５の内側縁部には、第２弾性体９が長手方向に沿って伸張された状態でそれぞれ配設されている。
【００３１】
これら第２弾性体９は、両端部が括れ部4aよりも吸収性物品本体１の長手方向の両端部近傍へと延設されている。そして、これら第２弾性体９の収縮により、各疎水性シート５の内側縁部に装着者の肌側に向かって起立する立体ギャザが形成される。
【００３２】
なお、これら第２弾性体９の伸張応力を第１弾性体８よりも大きくすると、第１弾性体８の収縮が不足して非配設部2aが上方に向かって起立できないため、第１弾性体８は、第２弾性体９よりも伸張応力が大きく設定されている。
【００３３】
また、第２弾性体９が配設される疎水性シート５の内側縁部が括れ部4a両側部よりも外側に位置していると、第１弾性体８の収縮により起立した非配設部2aが疎水性シート５の上方に位置し、排泄液の漏れの原因となる可能性があるため、吸収性物品本体１の展開状態において、疎水性シート５の内側縁部は、吸収体４の括れ部4aの両側より内側に位置していることが好ましい。
【００３４】
さらに、最外層シート６は、長手方向の一端部から他端部に亘って、装着時に装着者の背側に位置する背側腰回り部11と、装着者の股下に位置する股下回り部12と、装着者の腹側に位置する腹側腰回り部13とが順次一体に形成されている。そして、股下回り部12の両側中央部の各括れ部4aにそれぞれ対応する位置には、脚回り部14が凹弧状にそれぞれ切り欠き形成されている。
【００３５】
各腰回り部11，13には、幅方向に沿ってそれぞれ例えば紐状ゴムなどの図示しない弾性体が、幅方向に伸張された状態で複数配設されている。
【００３６】
また、一対の脚回り部14には、凹弧状の切り欠き形状に沿って例えば紐状ゴムなどの脚回り弾性体15が伸張された状態でそれぞれ配設され、これら脚回り弾性体15により、吸収性物品本体１の長手方向および幅方向に伸縮性が付与され、各脚回り部14にレッグギャザが形成される。
【００３７】
さらに、背側腰回り部11の両側部には、腹側腰回り部13に配設された図示されない面ファスナなどの腹側結合部に係脱自在に結合される面ファスナなどの背側結合部21が取り付けられている。
【００３８】
そして、吸収性物品本体１は、図１に示す展開状態から折り曲げられて背側腰回り部11の背側結合部21と、腹側腰回り部13の図示しない腹側結合部とを互いに結合することで、図２に示すように、背側腰回り部11と腹側腰回り部13とにより腰回り開口部22が伸縮自在に形成され、かつ一対の脚回り部14により一対の脚回り開口部23が伸縮自在に形成されるパンツ形状となる。
【００３９】
両フラップ部７は、透液性表面シート２と不透液性裏面シート３とから構成される。本実施の形態では、透液性表面シート２と不透液性裏面シート３とは、長手寸法が略等しく形成されているものの、透液性表面シート２を不透液性裏面シート３に対して短くしてもよい。
【００４０】
次に、上記第１の実施の形態の作用を説明する。
【００４１】
使用に際しては、図１に示す展開状態から吸収性物品本体１を折り曲げて、腹側腰回り部13の図示しない腹側結合部に背側腰回り部11の背側結合部21を結合することにより、吸収性物品本体１を図２に示すパンツ形状とし、パンツのように装着する。
【００４２】
この状態で第２弾性体９による立体ギャザおよび脚回り弾性体15によるレッグギャザが装着者の脚回りに密着されるとともに、第１弾性体８の収縮により、吸収体４の括れ部4aに臨む透液性表面シート２の各非配設部2aが上方に起立し股下の両側に密着する。
【００４３】
上述したように、上記第１の実施の形態によれば、透液性表面シート２で吸収体４を表面側から裏面側へと囲繞し、この透液性表面シート２の両側縁部を括れ部4aよりも吸収体４の幅方向の中心側の位置にて不透液性裏面シート３に固着することで、透液性表面シート２が剥がれることを防止できる。
【００４４】
また、透液性表面シート２の非配設部2aを不透液性裏面シート３に固着せず、かつ、これら非配設部2aに、第２弾性体９よりも伸張応力が大きい第１弾性体８を長手方向に沿って配設することで、この第１弾性体８の収縮によって非配設部2aが起立して装着者の肌に密着してフィット性を向上できるとともに、透液性表面シート２で囲繞された吸収体４の外側を不透液性裏面シート３および疎水性シート５で囲むことで、吸収体４の型崩れを防止でき、装着者の股下部での排泄液の漏れを防止できる。
【００４５】
しかも、透液性表面シート２の両側部が吸収体４の不透液性裏面シート３側である裏側に巻き込まれて位置しているため、起立してギャザ部となった非配設部2aを越えた排泄液を、不透液性裏面シート３により漏れを防止しつつ吸収体４の裏側に位置した透液性表面シート２にて確実に吸収できる。
【００４６】
さらに、各非配設部2aが上方に向かって起立することで、例えば、吸収性物品本体１の上に、さらに他の吸収性物品（インナ）を配設した場合に、この他の吸収性物品の両側部を各非配設部2aにて保持できる。
【００４７】
そして、不透液性裏面シート３に最外層シート６を固着し、この最外層シート６の長手方向に背側腰回り部11、股下回り部12および腹側腰回り部13を順次形成し、背側腰回り部11両側と腹側腰回り部13両側とを互いに結合して吸収性物品本体１を腰回り開口部22と一対の脚回り開口部23とをそれぞれ伸縮自在に形成する立体的なパンツ形状とすることで、例えば下着、あるいは他のアウタのおむつなどを必要とすることなく、一体的なパンツ型として使用でき、簡便となり、使い勝手を向上できる。
【００４８】
また、疎水性シート５の第２弾性体９が配設されている位置を、吸収性物品本体１の展開状態で吸収体４の括れ部4aよりも内側とすることで、第１弾性体８の収縮により起立した非配設部2aが疎水性シート５の上方に位置することがなく、より確実に漏れを防止できる。
【００４９】
さらに、吸収体４を透液性表面シート２で完全に囲繞しないことで、吸収性物品本体１に使用する透液性表面シート２の幅寸法が小さくてよいので、製造コストを低減できる。
【００５０】
次に、第２の実施の形態を図５を参照して説明する。なお、上記第１の実施の形態と同様の構成および作用については、同一符号を付してその説明を省略する。
【００５１】
図５に示す実施の形態では、透液性表面シート２の吸収体４が配設されている部分に位置する裏面側が不透液性裏面シート３に固着され、かつ、非配設部2aにて、透液性表面シート２の表面側と裏面側とが互いに固着されている。
【００５２】
この場合には、透液性表面シート２の吸収体４が配設されている部分に位置する裏面側を不透液性裏面シート３に固着し、かつ、非配設部2aにて表面側と裏面側とを固着することで、吸収体４を透液性表面シート２で、より確実に囲繞でき、吸収体４の型崩れをより確実に防止できるとともに、透液性表面シート２の非配設部2aが表側と裏側とで一体的となるため、これら非配設部2aが上方に起立し易くできる。
【００５３】
なお、上記第２の実施の形態において、図６に示すように、吸収体４を、この吸収体４が配設されている部分に位置する透液性表面シート２の裏面側とともに不透液性裏面シート３に固着する構成も可能である。この場合には、吸収体４が透液性表面シート２と一体的となり、上記第２の実施の形態と同様の作用効果を奏することができるとともに、吸収体４の型崩れをより確実に防止できる。
【００５４】
また、上記各実施の形態において、図７に示すように、吸収体４を、透液性表面シート２で表裏完全に囲繞する構成も可能である。
【図面の簡単な説明】
【００５５】
【図１】本発明の第１の実施の形態の使い捨て吸収性物品の展開状態を示す平面図である。
【図２】同上使い捨て吸収性物品の装着状態を示す斜視図である。
【図３】図１のＡ−Ａ断面図である。
【図４】図１のＢ−Ｂ断面図である。
【図５】本発明の第２の実施の形態の使い捨て吸収性物品を示す縦断正面図である。
【図６】本発明の他の実施の形態の使い捨て吸収性物品を示す縦断正面図である。
【図７】本発明のさらに他の実施の形態の使い捨て吸収性物品を示す縦断正面図である。
【符号の説明】
【００５６】
１    吸収性物品本体
２    透液性表面シート
３    不透液性裏面シート
４    吸収体
4a    括れ部
５    疎水性シート
６    最外層シート
７    フラップ部
８    第１弾性体
９    第２弾性体
11    背側腰回り部
12    股下回り部
13    腹側腰回り部
22    腰回り開口部
23    脚回り開口部
【図１】
2006055502.tif 000003
【図２】
2006055502.tif 000004
【図３】
2006055502.tif 000005
【図４】
2006055502.tif 000006
【図５】
2006055502.tif 000007
【図６】
2006055502.tif 000008
【図７】
2006055502.tif 000009